(57)【要約】【課題】従来の同調回路は、出力電圧の周波数特性が単峰の特性であり、受信したい周波数と近い周波数成分を持ったノイズに弱いという問題があった。【解決手段】本発明の同調回路は、アンテナに並列接続し、その構成は、同調部とフィルタ部とを並列接続してなる。フィルタ回路は、所定の共振周波数を有する。このような構成のため、出力電圧の周波数特性が単峰の特性ではなく、フィルタ部の共振周波数において極小値をもつ特性になる。この特性によって、受信したい信号の周波数に対する出力電圧の大きさはそのままに、特定のノイズに対しての感度を低く抑えることができる。その結果、出力電圧に含まれるノイズの割合を低減することができる。【選択図】図１
2008244777.tif 000002
【特許請求の範囲】
【請求項１】
所定の周波数の電波を受信するためのアンテナと、該アンテナと並列に接続し前記所定の周波数に同調するための容量手段を備える同調部とを有する同調回路であって、
前記所定の周波数とは異なる別の周波数で共振するフィルタ部を前記同調部と並列に接続して設け、
前記フィルタ部は、誘導回路と容量回路とを直列に接続していることを特徴とする同調回路。
【請求項２】
前記誘導回路は、誘導素子のみでの構成または誘導素子と容量素子とを並列接続して構成することを特徴とする請求項１に記載の同調回路。
【請求項３】
前記容量回路は、容量素子のみでの構成または容量素子と誘導素子とを並列接続して構成することを特徴とする請求項１に記載の同調回路。
【請求項４】
前記同調部の前記容量手段は、複数の容量素子を並列接続するとともに、これらの容量素子を選択する選択手段を備え、
前記選択手段の動作によって１つまたは複数の容量素子が選択されることにより、前記容量手段の容量値を変更することができることを特徴とする請求項１から３のいずれか１つに記載の同調回路。
【請求項５】
請求項１から４のいずれか１つに記載の同調回路を用い、
構造物を回転駆動するための駆動コイルを備えるモーター手段を有し、
前記駆動コイルと前記同調回路との間に切換手段を設け、
前記切換手段は、前記モーター手段が動作していないときに前記駆動コイルを前記誘導回路として用いるように切り換え制御することを特徴とする電子機器。
【発明の詳細な説明】
【技術分野】
【０００１】
本発明は、さまざまな情報を含む所定の電波をアンテナを用いて受信するための同調回路、ならびにこの同調回路を有する電子機器に関するものである。
【背景技術】
【０００２】
さまざまな情報を含む所定の電波を受信するための同調回路や、その同調回路を搭載する電子機器は広く流通しており、無線機、ラジオ、携帯電話、電波修正時計などが広く知られている。
その中で、例えば、電波修正時計は、時刻情報や日付情報を含む標準電波（例えば、４０ｋＨｚの電波）を内蔵するアンテナで受信し、時刻の誤差を修正する機能を有する時計である。標準電波の受信は、使用者が任意に行うことができるほか、自動的に行うこともできるため、温度差や振動の有無などによって常に誤差を生じてしまうクォーツ時計と比べ、常時正確な時刻を表示することが可能であり、時刻修正の手間を省くことができる時計として、近年急速に普及しつつある。
【０００３】
一般に同調回路は、並列に接続されたアンテナと同調部とによって構成され、その構成について様々な技術が提案されている（例えば特許文献１参照。）。
特許文献１に示した従来技術を図１３，図１４を用いて説明する。図１３は特許文献１に示した従来技術を、その主旨が変わらない範囲で簡略化した図である。図１３において、１はアンテナ、２は同調部である。この同調回路において、アンテナ１両端に現れる電圧を出力として取り出す。その電圧を出力電圧Ｖｏｕｔと呼ぶ。
【０００４】
図１４は特許文献１に示した従来技術の同調回路の周波数特性を模式的に示す図である。図１４において、横軸は周波数、縦軸はある一定強度の電波を受信した場合の各周波数における同調回路の出力電圧Ｖｏｕｔの振幅を示している。
出力電圧Ｖｏｕｔは、受信周波数が周波数ｆ１と等しい場合に最大となり、受信周波数が共振周波数から離れるに従い小さくなるという、単峰の特性を示す。このとき、周波数ｆ１はアンテナ１と同調部２の共振周波数であり、アンテナ１と同調部２との定数によって決まる。周波数ｆ３については後述する。
【０００５】
図１４に示した周波数特性を見てもわかるように、同調回路は周波数選択性をもつことになる。つまり周波数ｆ１を受信したい周波数に合わせることにより、受信したい周波数は大きな出力電圧として出力し、それ以外の周波数は出力電圧にほとんど現れないことになる。以降、受信したい周波数を持った電波を信号電波と呼び、それによって発生する出力電圧Ｖｏｕｔを信号電圧と呼ぶ。また、信号電波以外の受信したくない周波数を持った電波をノイズ電波と呼び、それによって発生する出力電力Ｖｏｕｔをノイズ電圧と呼ぶ。
【０００６】
ここで周波数選択性を持つ理由について、図１４を用いて説明する。図１４には周波数ｆ１，ｆ３を示している。図１４に示す特性は、ある強度を持ちその周波数がｆ１である信号電波に対して、この信号電波と同じ強度を持つが、その周波数は周波数ｆ１と近い周波数ｆ３のノイズ電波が重畳している例である。
このような電波を受信した場合、同調回路の出力電圧Ｖｏｕｔは、振幅がｖ１で周波数がｆ１の電圧信号に、振幅がｖ３で周波数がｆ３のノイズ電圧が重畳した電圧となる。
しかし、振幅ｖ３は、振幅ｖ１に比べて十分に小さいため、出力電圧Ｖｏｕｔは、信号電圧とほぼ等しい電圧となる。つまり、出力電圧Ｖｏｕｔにおいて、信号電圧に対するノイズ電圧の割合を小さく抑えることができる。
【０００７】
【特許文献１】特開２００３−２３４６４２号公報（第２頁、第２図）
【発明の開示】
【発明が解決しようとする課題】
【０００８】
特許文献１に示した従来技術は、同調回路に周波数選択性を持たせるものであり、出力電圧Ｖｏｕｔにおけるノイズ電圧の割合を小さく抑えるという効果があるものの、発明者が検討した結果、受信したい周波数に近い周波数成分を持ったノイズに弱いという問題があることがわかった。そしてその問題は、周波数選択性が低い場合に特に顕著に現れる。
すなわち、周波数選択性が不十分である場合、受信したい周波数に近い周波数成分を持ったノイズを出力電圧Ｖｏｕｔとして出力してしまうことになる。
【０００９】
そのような状況を図を用いて説明する。図１５は出力電圧Ｖｏｕｔの周波数特性の変化を模式的に示した図であり、出力電圧Ｖｏｕｔの周波数特性を示している。
図１５において、横軸は周波数、縦軸はある一定強度の電波を受信した場合の各周波数における同調回路の出力電圧Ｖｏｕｔの振幅を示している。
図１５において、５２ａは周波数選択性が良い場合の周波数特性を、５２ｂは周波数選択性が悪い場合の周波数特性を示している。周波数特性５２ｂは、周波数特性５２ａに比べて、峰の傾きが小さくなっている。すなわち、目的の周波数以外の電波に対しても出力電圧Ｖｏｕｔを発生させてしまうことになり、ゆえに周波数選択性が悪いといえる。
【００１０】
同調回路の出力電圧Ｖｏｕｔの周波数特性は、アンテナと容量との定数によって変化する。図１３に示した例では、アンテナ１と並列に接続する同調部２に搭載するコンデンサの容量との定数となる。例えば、アンテナの抵抗成分が大きい場合、出力電圧Ｖｏｕｔの周波数特性はは図１５に示した周波数特性５２ｂのようになる。
【００１１】
この周波数選択性の低下が同調回路の出力電圧Ｖｏｕｔに与える影響を、受信したい信号電波にノイズ電波が重畳した電波を受信する場合を例として説明する。ある強度を持ち周波数がｆ１である信号電波に、同じ強度を持ち周波数がｆ４であるノイズ電波が重畳した電波を受信する場合を考える。
【００１２】
周波数特性５２ａを持った同調回路においては、同調回路から出力される出力電圧Ｖｏｕｔは、振幅がｖ１であり周波数がｆ１である信号電圧に、振幅がｖ４であり周波数がｆ４であるノイズ電圧が重畳することになる。
一方、周波数特性５２ｂを持った同調回路においては、同じく、ある強度を持ち周波数がｆ１である信号電波に、同じ強度を持ち周波数がｆ４であるノイズ電波が重畳した電波を受信する場合、同調回路から出力される出力電圧Ｖｏｕｔは、振幅がｖ１´であり周波数がｆ１である信号電圧に、振幅がｖ４´であり周波数がｆ４であるノイズ電圧が重畳することになる。つまり、周波数選択性が悪くなったことによって、同調回路の出力電圧Ｖｏｕｔにおいて、信号電圧は小さくなる一方、ノイズ電圧は大きくなってしまう。
【００１３】
このように、特に周波数選択性の悪い同調回路においては、受信したい信号の周波数と近い周波数成分を持ったノイズ源が存在する場合、出力電圧Ｖｏｕｔにおけるノイズ電圧の割合が大きくなってしまう。一般的に周波数選択性は使用するアンテナのサイズやその周辺部品の配置によって制約を受けるため、十分な周波数選択性を得るのは困難な場合が多い。結果として、信号電波の周波数と近い周波数を持つノイズ電波が、受信感度の低下を引き起こしている。
【００１４】
このような、特定の周波数を持ったノイズ電波が受信感度の低下を引き起こしている例として、電波修正時計が挙げられる。電波修正時計に限らず、一般に時計の原振（基本クロック）は、３２７６８Ｈｚがもっぱら用いられている。この３２７６８Ｈｚは、所謂３
２ｋＨｚと略して称される周波数である。以降の説明では、時計の原振周波数は、単に３２ｋＨｚと称する。
一方、電波修正時計で受信する所謂標準電波の周波数は、送信所によって異なるが、４０ｋＨｚから８０ｋＨｚの間であり、３２ｋＨｚに比較的近い周波数である。
【００１５】
３２ｋＨｚの原振は、３２ｋＨｚのノイズ電波を放射するため、同調回路は信号電波以外に、３２ｋＨｚのノイズ電波を受信してしまい、その結果、同調回路の出力電圧Ｖｏｕｔは、信号電圧に時計の原振である３２ｋＨｚのノイズ電圧が重畳した電圧となってしまい、受信感度の低下を引き起こしている。
【００１６】
本発明は上記問題点を解決するものであり、その目的とするところは、特定の周波数成分を持ったノイズ電波が放射される環境であっても、所定の電波の受信感度の低下を引き起こさない同調回路を提供するものである。また、そのような同調回路を用いた電子機器を提供するところにある。
【課題を解決するための手段】
【００１７】
上記の課題を解決するため、本発明の同調回路は、以下のような構成を採用する。
【００１８】
所定の周波数の電波を受信するためのアンテナと、アンテナと並列に接続し所定の周波数に同調するための容量手段を備える同調部とを有する同調回路であって、
所定の周波数とは異なる別の周波数で共振するフィルタ部を同調部と並列に接続して設け、フィルタ部は、誘導回路と容量回路とを直列に接続していることを特徴とする。
【００１９】
誘導回路は、誘導素子のみでの構成または誘導素子と容量素子とを並列接続して構成することを特徴とする。
【００２０】
容量回路は、容量素子のみでの構成または容量素子と誘導素子とを並列接続して構成することを特徴とする。
【００２１】
同調部の容量手段は、複数の容量素子を並列接続するとともに、これらの容量素子を選択する選択手段を備え、選択手段の動作によって１つまたは複数の容量素子が選択されることにより、容量手段の容量値を変更することができることを特徴とする。
【００２２】
上記の課題を解決するため、本発明の同調回路を用いる電子機器は、以下のような構成を採用する。
【００２３】
上記記載の同調回路を用い、構造物を回転駆動するための駆動コイルを備えるモーター手段を有し、駆動コイルと同調回路との間に切換手段を設け、切換手段は、モーター手段が動作していないときに駆動コイルを誘導回路として用いるように切り換え制御することを特徴とする。
【発明の効果】
【００２４】
本発明の同調回路は、アンテナと並列に接続する同調部と、この同調部に並列に接続するフィルタ部を有している。フィルタ部は、誘導回路と容量回路とを直列に接続している。
このような構成とすることによって、出力電圧Ｖｏｕｔにおけるノイズ電圧の割合を低減することができ、受信感度の向上が可能となる。
【００２５】
また、このような同調回路を用いて電子機器を構成すると、例えば、それが電波修正時計であったとすると、指針を駆動するモーター手段が動作していないときに、このモータ
ー手段を構成する駆動コイルをフィルタ回路として用いることができる。
このような構成とすることによって、その電子機器内部または近傍に特定の周波数成分を持ったノイズ電波が放射されるような場合であっても、所定の電波の受信感度の低下を引き起こさず、受信感度が低下しない電子機器を得ることができるのである。
【発明を実施するための最良の形態】
【００２６】
以下、本発明の同調回路の実施形態を図面に基づいて説明する。なお、以下の説明にあたって、同一構成要件については、同一符号を付し、その説明を省略もしくは簡略化する。
【実施例１】
【００２７】
［同調回路の構成および特性の説明：図１、図２］
本発明の実施形態では、本発明の同調回路を電波修正時計の同調回路として適用した場合について、図１から図１０を参照して説明する。
図１は、本発明の同調回路の回路図を示す。図１において、１はアンテナ、２は同調部、３はフィルタ部である。４は接地（ＧＮＤレベル、例えば０Ｖ）を示している。Ｖｏｕｔは本発明の同調回路の出力電圧である。本発明の同調回路は、同調部２とフィルタ部３とで構成し、アンテナ１に並列に接続している。
【００２８】
アンテナ１は、図示しない受信回路と組み合わせて所定の電波（例えば、標準電波）を受信するためのものであって、特に限定しないが、フェライトなどのアンテナコアの周囲に電線を巻回し、コイルを形成するバーアンテナなどを用いることができる。アンテナコアに標準電波が鎖交すると、コイルに誘起電圧が発生する。この誘起電圧によって標準電波を受信するのである。
【００２９】
図２は、本発明の同調回路の特性を説明するために模式的に示す特性図であって、同調回路の出力電圧Ｖｏｕｔの周波数特性である。図２において横軸は周波数を、縦軸はある強度の電波を受信した場合の各周波数における出力電圧Ｖｏｕｔの振幅を示している。
【００３０】
出力電圧Ｖｏｕｔは、周波数ｆ２で極小となり、周波数ｆ２から離れるにしたがって大きくなる。そして、周波数ｆ１において最大となり、周波数ｆ１から離れるにしたがってまた小さくなる。この特性によって、本発明の同調回路を用いることで、出力電圧Ｖｏｕｔにおけるノイズ電圧の割合を低減することができる。
【００３１】
すなわち、ある強度を持ち周波数ｆ１である信号電波に、同じ強度を持ち周波数ｆ２であるノイズ電波が重畳した電波を受信する場合、出力電圧Ｖｏｕｔは、振幅ｖ１で周波数ｆ１の信号電圧に、振幅ｖ２で周波数ｆ２のノイズ電圧が重畳した電圧となる。しかし、図２からわかるように、振幅ｖ２は振幅ｖ１に比べて非常に小さな値となるため、結果として出力電圧Ｖｏｕｔは、信号電圧とほぼ等しい電圧が得られる。
【００３２】
［フィルタ部の説明：図３、図４］
本発明の同調回路を構成するフィルタ部３の構成を図３，図４を用いて説明する。図３において、３１は第１のコイル、３２は第１のコンデンサである。
図３はフィルタ部３の回路図であり、誘導回路として機能する第１のコイル３１と容量回路として機能する第１のコンデンサ３２とを直列に接続して構成している。
【００３３】
図４は、図３に示したフィルタ部３の特性を説明するために模式的に示す特性図であって、周波数−インピーダンス特性である。図４において、横軸は周波数、縦軸はインピーダンスを示している。
図４に示すように、フィルタ部３は、その共振周波数である周波数ｆ２においてインピ
ーダンスが最小となり、周波数ｆ２から離れるにしたがってインピーダンスが大きくなる。
つまり、フィルタ部３を同調部２と並列に接続することにより、フィルタ部３の周波数ｆ２において、フィルタ部３は同調部２の両端を低いインピーダンスで短絡することになり、出力電圧Ｖｏｕｔを低く抑える働きをする。
このようにフィルタ部３を図１に示す同調部２と並列に接続することにより、図２に示したような特性が得られるのである。
【００３４】
また、図２に示す周波数ｆ２はフィルタ部３の定数のみによって決まるため、問題となるノイズ電波の周波数と周波数ｆ２とが一致するようにフィルタ部３の定数を設定することで、信号電波の周波数ｆ１によらず、ノイズ電圧を小さく抑えることができる。
【００３５】
すでに説明したように、電波修正時計において、原振周波数である３２ｋＨｚのノイズ電波が受信感度の低下を引き起こしていた。しかしながら、本発明の実施形態では、同調回路２と並列にフィルタ部３を有し、このフィルタ部３の共振周波数ｆ２を３２ｋＨｚに設定することによって、同調回路の出力電圧Ｖｏｕｔにおいて、信号電圧は大きいままに、ノイズ電圧を低く抑えることができる。その結果、同調回路の出力電圧Ｖｏｕｔにおいて、信号に対するノイズの割合が減少し、受信感度の向上が可能となる。
【００３６】
［同調部の動作の説明：図５］
次に、本発明の同調回路を構成する同調部２の動作を図５、図６を用いて説明する。図５において、２１ａ〜２１ｄは容量素子であるコンデンサ、２２ａ〜２２ｄは選択手段として動作するスイッチ手段である。スイッチ手段は、特に限定しないが、トランジスタ素子を用いたトランジスタスイッチを用いることができる。
【００３７】
図２に示す周波数ｆ１は、アンテナ１，同調部２，フィルタ部３の共振周波数であり、アンテナ１，同調部２，フィルタ部３の定数によって決まる。同調部２の定数を変更できるようにすれば、受信する周波数に対応できる。その例を示す構成が図５に示すものである。
同調部２は、図５に示すように、受信する周波数に応じてスイッチ手段２２ａ〜２２ｄを開閉制御して、コンデンサ２１ａ〜２１ｄを選択制御する。これにより、周波数ｆ１を変えることができる。
【００３８】
例えば、４０ｋＨｚの標準電波を受信する場合には、スイッチ手段２２ａを閉じる。また、６０ｋＨｚの標準電波を受信する場合には、スイッチ手段２２ａ、２２ｂを閉じる。もちろん、コンデンサ２１ａ〜２１ｄは、それぞれ異なる静電容量値を有していても、同一の静電容量値を有していてもかまわない。受信したい周波数に応じて適宜選択が可能である。このように、周波数ｆ１が受信したい電波の周波数と一致するように、図４に示すスイッチ手段２２ａ〜２２ｄを切り替え制御して、コンデンサ２１ａ〜２１ｄを選択して、静電容量値を調整することで、大きな信号電圧を出力電圧Ｖｏｕｔとして得ることができる。
【００３９】
［フィルタ部の異なる例の説明：図６、図７］
以上、本発明の同調回路を構成する同調部２とフィルタ部３とを説明したが、フィルタ部３の構成は、すでに説明した構成に限定することはなく、適宜変更が可能である。
すでに説明した例では、フィルタ部３は、コイル１つとコンデンサ１つとによって構成されるものとして説明したが、その構成に限らない。次に、本発明の同調回路のフィルタ部３の異なる例を図６、図７を用いて説明する。図６において、３３は第２のコイルである。すでに説明した同一の構成には同一の番号を付与している。
図７は、図６に示すフィルタ部３の特性を説明するために模式的に示す特性図であって
、周波数−インピーダンス特性である。図６において、横軸は周波数、縦軸はインピーダンスを示している。
【００４０】
図６に示すフィルタ部３は、図３に示す構成に第２のコイル３３を付加したものであって、第１のコンデンサ３２に並列に第２のコイル３３を接続している。
図７に示すように、フィルタ部３は、その共振周波数ｆ２においてインピーダンスが最小となり、その共振周波数ｆ２から離れるにしたがってインピーダンスが大きくなることは同じであるが、その共振周波数ｆ２より低い周波数において、図３に示す例に比べよりインピーダンスが低くなっている。これによって、低周波域のノイズをより低減することができる。
【００４１】
［フィルタ部の異なる例の説明：図８、図９］
すでに説明した例では、フィルタ部３は、コイルを追加した例を示したが、その構成に限らない。次に、本発明の同調回路を構成するフィルタ部３の異なる例を図８、図９を用いて説明する。図８において、３４は第２のコンデンサである。すでに説明した同一の構成には同一の番号を付与している。
図９は、図８に示すフィルタ部３の特性を説明するために模式的に示す特性図であって、周波数−インピーダンス特性である。図９において、横軸は周波数、縦軸はインピーダンスを示している。
【００４２】
図８に示すフィルタ部３は、図３に示す構成に第２のコンデンサ３４を付加したものであって、第１のコイル３１に並列に第２のコンデンサ３４を接続している。
図９に示すように、フィルタ部３は、その共振周波数ｆ２においてインピーダンスが最小となり、その共振周波数ｆ２から離れるにしたがってインピーダンスが大きくなることは同じであるが、その共振周波数ｆ２より高い周波数において、図２に示す例に比べよりインピーダンスが低くなっている。これによって、高周波域のノイズをより低減することができる。
【００４３】
［フィルタ部の異なる例の説明：図１０、図１１］
すでに説明した例では、フィルタ部３は、コンデンサやコイルを追加した例を示したが、その構成に限らない。次に、本発明の同調回路を構成するフィルタ部３の異なる例を図１０、図１１を用いて説明する。図１０において、３５は抵抗である。すでに説明した同一の構成には同一の番号を付与している。
図１１は、図１０に示すフィルタ部３の特性を説明するために模式的に示す特性図であって、周波数−インピーダンス特性である。図１０において、横軸は周波数、縦軸はインピーダンスを示している。
【００４４】
図１０に示すフィルタ部３は、図２に示す構成に抵抗３５を付加したものであって、第１のコイル３１，第１のコンデンサ３２に直列に抵抗３５を接続している。
図１１に示すように、フィルタ部３は、その共振周波数ｆ２においてインピーダンスが最小となり、その共振周波数ｆ２から離れるにしたがってインピーダンスが大きくなることは同じであるが、フィルタでカットする周波数帯幅を調整することができる。もちろん、抵抗３５は、可変抵抗とすることもできる。これによって、カットする周波数帯幅の調整を自由に行うことができたり、回路が完成した後に周波数の微調整を行うこともできる。
【００４５】
以上説明したフィルタ部３の構成は、互いに組み合わせて用いることができる。例えば、図６や図８に示す構成に図１０に示すように抵抗３５を接続してもかまわないのである。また、図３，図６，図８，図１０に示す第１のコンデンサ３２、図８に示す第２のコンデンサ３４を、図５に示すように複数のコンデンサを並列接続し、スイッチ手段を設けて
これを選択するようにしてもよい。
要するに、本発明の同調回路を用いる回路の仕様や電気特性に応じて適宜変更することができるのである。
【実施例２】
【００４６】
［電波修正時計への搭載例の説明：図１２］
次に、本発明の同調回路を電子機器に搭載する場合について説明する。電子機器は、モーター駆動用コイルを備えた電波修正時計である場合について図を用いて説明する。
図１２は、本発明の同調回路を搭載する電波修正時計を説明するために模式的に示す図である。図１２において４１はモーター駆動用コイル、４２はモーター、４３は電波修正時計の外装ケース、４４は切換手段として機能するスイッチ手段である。すでに説明した同一の構成には同一の番号を付与している。
【００４７】
モーター駆動用コイル４１はモーター４２を構成する部品である。電波修正時計は、外装ケース４３に図示しないムーブメント（機能部品群）が搭載してあり、本発明の同調回路もこのムーブメントに組み込まれている。このムーブメントには、時刻を報知するための時刻報知手段である指針を運針駆動するためのモーター４２も組み込まれており、図示しない回路によってこのモーター４２は駆動している。
【００４８】
図１２に示す例では、モーター駆動用のコイルをフィルタ回路を構成する誘導回路に用いる例を示すものである。すなわち、モーター駆動用コイル４１は、本発明の同調回路を構成するフィルタ回路３の誘導回路であるコイル（図３の例では第１のコイル３１）を兼ねているのである。
【００４９】
標準電波を受信していないとき、つまり通常動作時には、スイッチ４４が開かれており、モーター駆動用コイル４１は運針にのみ使用されている。
標準電波を受信するとき、つまり電波受信時には、スイッチ手段４４を閉じる。スイッチ手段４４を介してモーター駆動用コイル４１と第１のコンデンサ３２とが接続される。
これにより、コイルとコンデンサとが直列に接続された図３に示すようなフィルタ部３を構成することができる。
【００５０】
これによって、本発明の同調回路は、図２に示すような周波数特性を持ち、出力電圧Ｖｏｕｔは、大きな信号電圧を得ると同時に、ノイズ電圧を小さく抑えることができる。
【産業上の利用可能性】
【００５１】
アンテナと並列にフィルタ部を挿入することにより、特定の周波数成分を持ったノイズに対する感度を低くして、同調回路の出力電圧Ｖｏｕｔの信号電圧に対するノイズ電圧の割合を低減することができる。そのため、特定のノイズ源を有する電子機器、特に電波修正時計に好適である。
【図面の簡単な説明】
【００５２】
【図１】本発明の同調回路の回路図である。
【図２】本発明の同調回路の周波数特性である。
【図３】本発明の同調回路を構成するフィルタ部を説明する回路図である。
【図４】本発明の同調回路を構成するフィルタ部の周波数特性である。
【図５】本発明の同調回路を構成する同調部を説明する回路図である。
【図６】本発明の同調回路を構成するフィルタ部の他の構成例を説明する回路図である。
【図７】本発明の同調回路を構成するフィルタ部の他の構成例の周波数特性である。
【図８】本発明の同調回路を構成するフィルタ部の別の構成例を説明する回路図である。
【図９】本発明の同調回路を構成するフィルタ部の別の構成例の周波数特性である。
【図１０】本発明の同調回路を構成するフィルタ部のさらに別の構成例を説明する回路図である。
【図１１】本発明の同調回路を構成するフィルタ部のさらに別の構成例の周波数特性である。
【図１２】本発明の同調回路を用いる電子機器を説明する図である。
【図１３】特許文献１に示した従来技術を説明する回路図である。
【図１４】特許文献１に示した従来技術を説明する周波数特性を示す図である。
【図１５】特許文献１に示した従来技術を説明する周波数特性を示す図である。
【符号の説明】
【００５３】
１  アンテナ
２  同調部
３  フィルタ部
４  接地
３１  第１のコイル
３２  第１のコンデンサ
２１  同調用コンデンサ
２１ａ〜２１ｄ  容量素子であるコンデンサ
２２ａ〜２２ｄ  選択手段として動作するスイッチ手段
３３  第２のコイル
３４  第２のコンデンサ
４１  モーター駆動用コイル
４２  モーター
４３  外装ケース
４４  スイッチ手段
【図１】
2008244777.tif 000003
【図２】
2008244777.tif 000004
【図３】
2008244777.tif 000005
【図４】
2008244777.tif 000006
【図５】
2008244777.tif 000007
【図６】
2008244777.tif 000008
【図７】
2008244777.tif 000009
【図８】
2008244777.tif 000010
【図９】
2008244777.tif 000011
【図１０】
2008244777.tif 000012
【図１１】
2008244777.tif 000013
【図１２】
2008244777.tif 000014
【図１３】
2008244777.tif 000015
【図１４】
2008244777.tif 000016
【図１５】
2008244777.tif 000017